Podtech/llm-jp-corpus-v4-ja_patent huggingface dataset:
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
修飾オリゴヌクレオチドとコンジュゲート基とを含む化合物であって、前記修飾オリゴヌクレオチドが１０〜３０個の連結されたヌクレオシドからなり、かつ配列番号１の核酸塩基配列を有するＣＦＢ核酸の核酸塩基２５７４〜２６２６の長さが等しい部分に相補的な少なくとも８個の連続する核酸塩基の部分を含む核酸塩基配列を有し、前記修飾オリゴヌクレオチドは、
連結されたデオキシヌクレオシドからなるギャップセグメント；
連結されたヌクレオシドからなる５’ウイングセグメント；及び
連結されたヌクレオシドからなる３’ウイングセグメント
を有し、前記ギャップセグメントは前記５’ウイングセグメントと前記３’ウイングセグメントの間に配置されており、各ウイングセグメントの各ヌクレオシドは修飾糖を含み；
前記コンジュゲート基は
【化１】
2020058368.tif 000001
を含む、前記化合物。
【請求項２】
前記修飾オリゴヌクレオチドが、１６〜２０個の連結されたヌクレオシドからなる、または、１６個または２０個の連結されたヌクレオシドからなる、請求項１に記載の化合物。
【請求項３】
前記修飾オリゴヌクレオチドが、配列番号１または配列番号２に少なくとも８０％、８５％、９０％、９５％または１００％相補的である、請求項１または請求項２に記載の化合物。
【請求項４】
前記修飾オリゴヌクレオチドが、配列番号１の核酸塩基配列を有するＣＦＢ核酸の核酸塩基２５７４〜２６２６の長さが等しい部分に相補的な少なくとも９個、少なくとも１０個、少なくとも１１個、少なくとも１２個、少なくとも１３個、少なくとも１４個、少なくとも１５個、または少なくとも１６個の連続する核酸塩基の部分を含む核酸塩基配列を有する、請求項１〜３のいずれか一項に記載の化合物。
【請求項５】
前記修飾オリゴヌクレオチドが、少なくとも１つの修飾ヌクレオシド間連結部、及び／または、少なくとも１つの修飾核酸塩基を含む、請求項１〜４のいずれか一項に記載の化合物。
【請求項６】
前記修飾ヌクレオシド間連結部がホスホロチオエートヌクレオシド間連結部である、請求項５に記載の化合物。
【請求項７】
前記修飾オリゴヌクレオチドが、少なくとも１つ、少なくとも２つ、少なくとも３つ、少なくとも４つ、少なくとも５つ、少なくとも６つ、または少なくとも７つのホスホジエステルヌクレオシド間連結部を含む、請求項６に記載の化合物。
【請求項８】
前記修飾オリゴヌクレオチドの各ヌクレオシド間連結部が、ホスホジエステルヌクレオシド間連結部及びホスホロチオエートヌクレオシド間連結部から選択される、請求項１〜７のいずれか一項に記載の化合物。
【請求項９】
前記修飾オリゴヌクレオチドの各ヌクレオシド間連結部がホスホロチオエートヌクレオシド間連結部を含む、請求項５に記載の化合物。
【請求項１０】
前記修飾糖が二環式糖である、請求項１〜９のいずれか一項に記載の化合物。
【請求項１１】
前記二環式糖が、４’−（ＣＨ２）−Ｏ−２’（ＬＮＡ）、４’−（ＣＨ２）２−Ｏ−２’（ＥＮＡ）、及び４’−ＣＨ（ＣＨ３）−Ｏ−２’（ｃＥｔ）からなる群より選択される、請求項１０に記載の化合物。
【請求項１２】
前記修飾糖が２’−Ｏ−メトキシエチルまたは２’−ＯＭｅである、請求項１〜１１のいずれか一項に記載の化合物。
【請求項１３】
前記修飾核酸塩基が５−メチルシトシンである、請求項５〜１２のいずれか一項に記載の化合物。
【請求項１４】
一本鎖である、請求項１〜１３のいずれか一項に記載の化合物。
【請求項１５】
二本鎖である、請求項１〜１３のいずれか一項に記載の化合物。
【請求項１６】
前記修飾オリゴヌクレオチドが１２〜３０個の連結されたヌクレオシドからなる、請求項１〜１５のいずれか一項に記載の化合物。
【請求項１７】
前記修飾オリゴヌクレオチドが１５〜３０個の連結されたヌクレオシドからなる、請求項１〜１５のいずれか一項に記載の化合物。
【請求項１８】
前記コンジュゲート基が前記修飾オリゴヌクレオチドの５’端で前記修飾オリゴヌクレオチドに連結されている、請求項１〜１７のいずれか一項に記載の化合物。
【請求項１９】
前記コンジュゲート基が前記修飾オリゴヌクレオチドの３’端で前記修飾オリゴヌクレオチドに連結されている、請求項１〜１７のいずれか一項に記載の化合物。
【請求項２０】
前記修飾オリゴヌクレオチドの核酸塩基配列が、配列番号４４０、２３７、４４４、４４８、４５０、４５３、４５５、及び５９８のいずれか一つからなる核酸塩基配列を有する、請求項１〜１９のいずれか一項に記載の化合物。
【請求項２１】
請求項１〜２０のいずれか一項に記載の化合物またはその塩と、医薬上許容される担体または希釈剤の少なくとも１つを含む組成物。
【請求項２２】
対象における補体代替経路の調節異常に関連する疾患を治療するための医薬であって、請求項１〜２０のいずれか一項に記載の化合物または請求項２１に記載の組成物を含む、前記医薬。
【請求項２３】
前記補体代替経路が正常より強く活性化されている、請求項２２に記載の医薬。
【請求項２４】
前記疾患が黄斑変性、加齢黄斑変性（ＡＭＤ）、滲出型ＡＭＤ、乾性ＡＭＤまたは地図状萎縮である、請求項２２または請求項２３に記載の医薬。
【請求項２５】
前記疾患が腎臓疾患である、請求項２２に記載の医薬。
【請求項２６】
前記腎臓疾患がループス腎炎、全身性エリテマトーデス（ＳＬＥ）、デンスデポジット病（ＤＤＤ）、Ｃ３糸球体腎炎（Ｃ３ＧＮ）、ＣＦＨＲ５ネフロパシー、または非典型溶血性尿毒症症候群（ａＨＵＳ）である、請求項２５に記載の医薬。
【請求項２７】
補体代替経路の調節異常に関連する疾患を治療するための医薬の製造における、請求項１〜２０のいずれか一項に記載の化合物または請求項２１に記載の組成物の使用。
【請求項２８】
前記補体代替経路が正常より強く活性化されている、請求項２７に記載の医薬の製造における化合物または組成物の使用。
【請求項２９】
前記疾患が黄斑変性、加齢黄斑変性（ＡＭＤ）、滲出型ＡＭＤ、乾性ＡＭＤまたは地図状萎縮である、請求項２７に記載の医薬の製造における化合物または組成物の使用。
【請求項３０】
前記疾患が腎臓疾患である、請求項２７に記載の医薬の製造における化合物または組成物の使用。
【請求項３１】
前記腎臓疾患が、ループス腎炎、デンスデポジット病（ＤＤＤ）、Ｃ３糸球体腎炎（Ｃ３ＧＮ）、ＣＦＨＲ５ネフロパシー、または非典型溶血性尿毒症症候群（ａＨＵＳ）である、請求項３０に記載の医薬の製造における化合物または組成物の使用。
【手続補正書】
【提出日】令和2年10月6日(2020.10.6)
【手続補正１】
【補正対象書類名】特許請求の範囲
【補正対象項目名】全文
【補正方法】変更
【補正の内容】
【特許請求の範囲】
【請求項１】
配列番号１７のアミノ酸配列を含む相補性決定領域（ＣＤＲ）１、配列番号１８のアミノ酸配列を含むＣＤＲ２、配列番号１９のアミノ酸配列を含むＣＤＲ３を含む可変重鎖領域と、
配列番号２０のアミノ酸配列を含むＣＤＲ１、配列番号２１のアミノ酸配列を含むＣＤＲ２、配列番号２２のアミノ酸配列を含むＣＤＲ３を含む可変軽鎖領域と
を含む、モノクローナル抗反発性ガイダンス分子ｃ（ＲＧＭｃ）抗体。
【請求項２】
親和性成熟されている、モノクローナル抗ＲＧＭｃ抗体。
【請求項３】
ヒト化抗体である、請求項１又は２に記載の単離されたモノクローナル抗ＲＧＭｃ抗体。
【請求項４】
可変軽鎖領域が、配列番号６に示すアミノ酸配列を有する、請求項１〜３のいずれか一項に記載のモノクローナル抗ＲＧＭｃ抗体。
【請求項５】
可変重鎖領域が、フレームワーク領域に１つまでのアミノ酸の相違をもつ、配列番号５に示すアミノ酸配列を有する、請求項１〜４のいずれか一項に記載のモノクローナル抗ＲＧＭｃ抗体。
【請求項６】
ヒトＩｇＧ定常ドメインである重鎖免疫グロブリン定常ドメインを含む、請求項１〜５のいずれか一項に記載の単離されたモノクローナル抗ＲＧＭｃ抗体。
【請求項７】
膜結合性反発性ガイダンス分子ａ（ＲＧＭａ）よりも膜結合性ＲＧＭｃに選択的に結合する、請求項１〜６のいずれか一項に記載のモノクローナル抗ＲＧＭｃ抗体。
【請求項８】
１．００Ｅ−９より小さいＲＧＭｃへの結合親和性を有する、請求項１〜７のいずれか一項に記載のモノクローナル抗ＲＧＭｃ抗体。
【請求項９】
免疫接着（ｉｍｍｕｎｏａｄｈｅｓｉｏｎ）分子、造影剤及び治療剤からなる群から選択される作用物質にコンジュゲートしており、前記造影剤は、放射性標識、酵素、蛍光標識、発光標識、生物発光標識、磁気標識及びビオチンからなる群から選択され、放射性標識は、３Ｈ、１４Ｃ、３５Ｓ、９０Ｙ、９９Ｔｃ、１１１Ｉｎ、１２５Ｉ、１３１Ｉ、１７７Ｌｕ、１６６Ｈｏ及び１５３Ｓｍからなる群から選択される、請求項１〜８のいずれか一項に記載のモノクローナル抗ＲＧＭｃ抗体。
【請求項１０】
請求項１〜８のいずれか一項に記載のヒト化抗体をコードする単離された核酸。
【請求項１１】
請求項１〜９のいずれか一項に記載のモノクローナル抗体を含む医薬組成物であって、医薬として許容される担体を含む、医薬組成物。
【請求項１２】
モノクローナル抗体と医薬として許容される担体が、凍結乾燥された形状である、請求項１１に記載の医薬組成物。
【請求項１３】
モノクローナル抗体と医薬として許容される担体が、溶液の形状である、請求項１１に記載の医薬組成物。
【請求項１４】
ヘプシジンレベルの上昇により引き起こされる鉄欠乏である鉄代謝疾患を治療するための請求項１１〜１３のいずれか一項に記載の医薬組成物。
【請求項１５】
鉄代謝疾患が、慢性疾患の貧血（ＡＣＤ）、鉄剤不応性鉄欠乏性貧血、及び慢性腎疾患の貧血からなる群から選択される、請求項１４に記載の医薬組成物。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
消化管の管腔の中に送達するための、治療有効用量の少なくとも１つの治療薬剤を含む治療薬剤調整物であって、該管腔は管腔壁を有し、
該調整物は、嚥下可能なカプセル内に含まれ、かつ、該カプセルから送達されて該管腔壁を貫通して該管腔壁の中へと前進させられる、該カプセルと関連付けられたアクチュエータに連結されるように構成された組織貫通部材として成形された固体であり、
該固体は、該管腔壁内で分解して、該治療薬剤の用量を放出する、調整物。
【請求項２】
前記調整物が、少なくとも１つの医薬物賦形剤を含む、請求項１に記載の調整物。
【請求項３】
前記管腔壁が、小腸の壁または胃の壁を含む、請求項１に記載の調整物。
【請求項４】
前記アクチュエーターが第１の構成と第２の構成とを有し、前記調整物は、該第１の構成においては前記カプセル内に含まれ、該第２の構成においては該カプセルの中から前記管腔壁の中へと前進させられる、請求項１に記載の調整物。
【請求項５】
前記治療薬剤が、治療有効用量の抗ウイルス性化合物を含む、請求項１に記載の調整物。
【請求項６】
前記治療薬剤が、治療有効用量のインターフェロンを含む、請求項１に記載の調整物。
【請求項７】
前記治療薬剤が、骨粗鬆症または甲状腺疾患の治療のための治療有効用量の副甲状腺ホルモンを含む、請求項１に記載の調整物。
【請求項８】
前記治療薬剤が、糖尿病またはグルコース調節疾患の治療のための治療有効用量のインスリンを含む、請求項１に記載の調整物。
【請求項９】
前記インスリンの用量が、約４単位〜約９単位のインスリンの範囲内である、請求項８に記載の調整物。
【請求項１０】
前記治療薬剤が、糖尿病またはグルコース調節疾患の治療のための治療有効用量のインクレチンを含む、請求項１に記載の調整物。
【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
第１面と、前記第１面に第１開口を有し、発光素子が収容される第１収容凹部と、前記第１面に第２開口を有し、受光素子が収容される第２収容凹部と、を有する基体と、
第２面を有するとともに、光透過性を有する蓋体と、
前記基体の前記第１面と、前記蓋体の前記第２面とを接合する接合材と、
前記基板の前記第１面に、前記第２開口を囲んだ第１貫通孔を有する接地導体層と、を備える計測センサ用パッケージ。
【請求項２】
前記蓋体の前記第２面に、前記第１貫通孔と少なくとも一部が重なって位置した第２貫通孔を有する金属薄層をさらに備える、請求項１に記載の計測センサ用パッケージ。
【請求項３】
断面視において、前記第２貫通孔は、前記第１貫通孔よりも小さい、請求項２に記載の計測センサ用パッケージ。
【請求項４】
前記第２貫通孔は、前記受光素子によって受光される光を規制する絞り孔である、請求項２または３に記載の計測センサ用パッケージ。
【請求項５】
前記接地導体層と前記金属薄層とは、電気的に接続されている、請求項２〜４のいずれか１つに記載の計測センサ用パッケージ。
【請求項６】
前記基体は内部接地導体層をさらに有している請求項１〜５のいずれか１つに記載の計測センサ用パッケージ。
【請求項７】
前記内部接地導体層は、平面透視において、前記第１収容凹部と前記第２収容凹部との間に位置した第１内部接地導体層と、前記基体の前記第１面の外縁に沿って、前記第１収容凹部および前記第２収容凹部よりも外側に、環状の第２内部接地導体層とを有している、請求項６に記載の計測センサ用パッケージ。
【請求項８】
前記第２収容凹部は、段差面を有する段差部を有しており、
前記第１内部接地導体層は、前記第２収容凹部の底面と、前記段差面との間に位置している、請求項７に記載の計測センサ用パッケージ。
【請求項９】
前記第２収容凹部は、段差面を有する段差部を有しており、
前記第２内部接地導体層は、前記第２収容凹部の底面と、前記段差面との間に位置している、請求項７または８に記載の計測センサ用パッケージ。
【請求項１０】
前記第２収容凹部は、段差面を有する段差部を有しており、
前記段差部の前記段差面には、前記受光素子と電気的に接続される接続パッドが位置している、請求項１〜９のいずれか１つに記載の計測センサ用パッケージ。
【請求項１１】
前記蓋体の前記第２面に、前記第１貫通孔と少なくとも一部が重なって位置した第２貫通孔を有する金属薄層をさらに備えており、
平面透視において、前記第２収容凹部の底面が、前記第２貫通孔と重なって位置しており、前記接続パッドが、前記金属薄層と重なって位置している、請求項１０に記載の計測センサ用パッケージ。
【請求項１２】
前記基体の前記第１面に、前記第１収容凹部と前記第２収容凹部の間に位置した遮光性を有する仕切り部をさらに有している、請求項１〜１１のいずれか１つに記載の計測センサ用パッケージ。
【請求項１３】
前記接合材と前記仕切り部は同じ材料である、請求項１２に記載の計測センサ用パッケージ。
【請求項１４】
前記蓋体の前記第２面に、前記第１貫通孔と少なくとも一部が重なって位置した第２貫通孔を有する金属薄層をさらに備えており、
前記接合材は、前記蓋体と前記基体と接する第１部分と、前記接地導体層と前記金属薄層と接する第２部分とを有している、請求項１〜１３のいずれか１つに記載の計測センサ用パッケージ。
【請求項１５】
前記第１開口の深さと、前記第２開口の深さとは同じであることを特徴とする請求項１〜１４のいずれか１つに記載の計測センサ用パッケージ。
【請求項１６】
平面透視において、前記第１開口は、前記第２開口よりも小さい、請求項１〜１５のいずれか１つに記載の計測センサ用パッケージ。
【請求項１７】
請求項１〜１６のいずれか１つに記載の計測センサ用パッケージと、
前記第１収容凹部に収容される発光素子と、
前記第２収容凹部に収容される受光素子と、を含むことを特徴とする計測センサ。
【請求項１８】
前記計測センサ用パッケージが実装される外部実装基板をさらに備えており、
前記外部実装基板は、前記発光素子の発光を制御する制御素子および前記受光素子の出力信号に基づいて演算する演算素子を備えている、請求項１７に記載の計測センサ。
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
エネルギーによって塞栓を生じさせる装置であって、
内壁を有するイントロデューサ・シースであって、その内壁が前記イントロデューサ・シースの近位部から遠位部へと延びる長手方向の開口部を形成する、イントロデューサ・シースと、
外壁を有し、近位部から遠位部へと延びる長手方向の開口部を有する第１カテーテルであって、前記イントロデューサ・シースの長手方向の開口部を貫いて配置される前記第１カテーテルと、
イントロデューサ・シースの内部と流体連結して配置される第１端を有し、前記第１カテーテルの内部と流体連結して配置される第２端を有する導管であって、前記イントロデューサ・シースの前記内部、前記導管の内部、そして前記第１カテーテルの前記内部を通り、前記第１カテーテルの遠位部を通って出ていく、順行性の血流を標的となる血管の内腔に生じるようにする前記導管と、
前記第１カテーテルの前記長手方向の開口部を貫いて配置する第２カテーテルと、
前記第２カテーテルの長手方向の開口部を貫いて配置されたエネルギー供給ワイヤと、
流体を前記導管の内部に導入するためのアクセスポートであって、選択的に開閉できるアクセスポートと、
を有する、エネルギーによって塞栓を形成する装置。
【請求項２】
前記導管の前記第１端が前記イントロデューサ・シースの前記内壁と前記第１カテーテルの前記外壁との間の前記イントロデューサ・シース内部の領域と流体連結して配置されている、請求項１に記載の装置。
【請求項３】
更に、前記導管と前記第１カテーテルの間に配置されるバルブ装置を備える、請求項１または請求項２に記載の装置。
【請求項４】
更に、前記イントロデューサ・シースにおいて一体的に形成される側部ポートを備える、請求項１から請求項３のいずれか一項に記載の装置。
【請求項５】
更に、前記側部ポートに栓部を備える、請求項４に記載の装置。
【請求項６】
更に、前記第１カテーテルの遠位端に先端部を備え、前記先端部が前記第１カテーテルの最大の外径よりも小さい外径を有する、請求項１から請求項５のいずれか一項に記載の装置。
【請求項７】
前記第１カテーテルがバルーンカテーテルである、請求項１から請求項６のいずれか一項に記載の装置。
【請求項８】
前記アクセスポートに前記導管の内部と流体連結する三又の栓部が設けられている、請求項１から請求項７のいずれか一項に記載の装置。
【請求項９】
前記第２カテーテルはバルーンカテーテルである、請求項１から請求項８のいずれか一項に記載の装置。
【請求項１０】
前記第２カテーテルは、バルーン・マイクロカテーテルである請求項９に記載の装置。
【請求項１１】
前記第１カテーテルは、バルーンカテーテルではない、請求項９又は請求項１０に記載の装置。
【請求項１２】
前記エネルギー供給ワイヤが、取り外し可能なプローブを含む、請求項１から請求項１１のいずれか一項に記載の装置。
【請求項１３】
前記エネルギー供給ワイヤが直線型先端部、らせん状先端部又はＶ字型先端部を有する、請求項１から請求項１２のいずれか一項に記載の装置。
【請求項１４】
また、前記順行性の血流を許容し又は止めるように構成されるコントロールバルブを備える、請求項１から請求項１３のいずれか一項に記載の装置。
【請求項１５】
前記コントロールバルブが前記導管の内部と流体連結している、請求項１４に記載の装置。
【請求項１６】
また、エネルギーを前記エネルギー供給ワイヤに送るために、前記エネルギー供給ワイヤと連携して操作可能なエネルギー供給装置を備える、請求項１から請求項１５のいずれか一項に記載の装置。
【請求項１７】
前記イントロデューサ・シースの前記内部が前記イントロデューサ・シースの前記長手方向の開口部である、請求項１から請求項１６のいずれか一項に記載の装置。
【請求項１８】
前記第１カテーテルの前記内部が前記第１カテーテルの前記長手方向の開口部である、請求項１から請求項１７のいずれか一項に記載の装置。
【手続補正書】
【提出日】令和2年5月21日(2020.5.21)
【手続補正１】
【補正対象書類名】特許請求の範囲
【補正対象項目名】全文
【補正方法】変更
【補正の内容】
【特許請求の範囲】
【請求項１】
陽圧呼吸療法を施す際に使用するためのマスクアセンブリであって、
マスクシール；および
マスクシェル
を含み、使用者の顔の鼻梁よりも十分に低く位置決めされ、かつ前記使用者の前記鼻梁を露出させるように構成され、前記マスクシールは、前記マスクシェルに接続されており、前記マスクシールは、少なくとも１つの鼻開口部を含む鼻領域を含み、前記マスクシールは、前記鼻領域の第１の側部に第１のパドル、および前記鼻領域の第２の側部に第２のパドルを含み、前記第１のパドルは、前記使用者の前記鼻の一方の側面に接触するように構成され、および前記第２のパドルは、前記使用者の前記鼻の他方の側面に接触するように構成され；
前記マスクシールの厚さは変化し、前記第１のパドルと前記第２のパドルのそれぞれは、サスペンション部材を備える支持体を含み、前記支持体が、前記第１のパドルと前記第２のパドルの所望の形状を維持するのを支援し、前記サスペンション部材はそれぞれ前記第１のパドルと前記第２のパドルの上縁に沿った、横方向外表面部分と横方向内表面部分とが接合するリッジに沿って延在する、マスクアセンブリ。
【請求項２】
前記鼻領域が、前記マスクシールの最小厚さを有する、請求項１に記載のマスクアセンブリ。
【請求項３】
前記第１のパドルと前記第２のパドルの前記支持体が、前記マスクシールの最大厚さを有する、請求項１または２に記載のマスクアセンブリ。
【請求項４】
前記サスペンション部材が、前記マスクシールの使用者に接触する面から前記マスクシェルの方へ延在する、請求項１〜３のいずれか一項に記載のマスクアセンブリ。
【請求項５】
前記サスペンション部材が互いに接続されて、厚さの増した接続領域を形成する、請求項１〜４のいずれか一項に記載のマスクアセンブリ。
【請求項６】
前記マスクシールが、口開口部をさらに含み、前記口開口部を取り囲む領域が、前記最小厚さを有するか、または前記マスクシールの前記最小厚さに等しい、請求項１〜５のいずれか一項に記載のマスクアセンブリ。
【請求項７】
前記マスクシールが、前記口開口部の両側に外側周辺部をさらに含み、前記外側周辺部のそれぞれが、前記マスクシールの後ろ向きの側面から、前記マスクシールの横向きの側面の少なくとも一部分に巻き付き、前記外側周辺部の厚さが、前記鼻領域の厚さを上回る、請求項６に記載のマスクアセンブリ。
【請求項８】
前記支持体が、ほぼ三角形の形状を含み、三角形の底辺が、前記三角形の先端の後方に位置決めされている、請求項１〜７のいずれか一項に記載のマスクアセンブリ。
【請求項９】
請求項１〜８のいずれか一項に記載のマスクアセンブリを含む、インターフェースアセンブリであって、取り外し可能に取り付けることができるフレームをさらに含み、前記フレームは、前記フレームから延在する１つ以上のカバーを含み、かつ加圧空気が前記マスクシールに導入されるときに、前記マスクシールが外側へ膨張して型崩れしないように構成されている、インターフェースアセンブリ。
【請求項１０】
前記サスペンション部材のそれぞれが、前記カバーのそれぞれ１つと位置合わせされ、および前記マスクシールから前記カバーまで前記サスペンション部材を介して負荷を伝達するように構成されている、請求項９に記載のインターフェースアセンブリ。
【請求項１１】
請求項１〜８のいずれか一項に記載のマスクアセンブリを含む、インターフェースアセンブリであって、前記マスクアセンブリに取り外し可能に結合されたフレームをさらに含み、前記フレームは、前記マスクアセンブリに対して支持されたカバーの対であって、前記カバーのそれぞれが、前記第１および第２のパドルのそれぞれ１つの一部分に隣接して位置決めされ、前記カバーが、前記第１および第２のパドルの少なくとも前記部分の拡張を制限する、カバーの対を含む、インターフェースアセンブリ。
【請求項１２】
前記カバーが、前記フレームと一体的に形成されている、請求項１１に記載のインターフェースアセンブリ。
【請求項１３】
前記カバーが、前記第１のパドルと前記第２のパドルの一部分のみに隣接して位置決めされ、前記第１のパドルと前記第２のパドルの一部分を露出したままにする、請求項１１または１２記載のインターフェースアセンブリ。
【請求項１４】
前記サスペンション部材が、前記マスクアセンブリの患者側から前記フレームの方へ延在する、前記マスクシールの細長くて厚みのある領域を含む、請求項１１〜１３のいずれか一項に記載のインターフェースアセンブリ。
【請求項１５】
前記サスペンション部材が、前記第１のパドルと前記第２のパドルおよび前記鼻領域において、前記マスクシールの他の部分よりも厚い、請求項１１〜１４のいずれか一項に記載のインターフェースアセンブリ。
【請求項１６】
前記サスペンション部材のそれぞれが、前記カバーのそれぞれ１つと位置合わせされ、かつ前記シールから前記カバーまで前記サスペンション部材を介して負荷を伝達するように構成されている、請求項１１〜１５のいずれか一項に記載のインターフェースアセンブリ。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
被検体を撮影することにより得られた医用画像上に表示されたカーソルを、当該医用画像上で移動させ、当該カーソルによって当該医用画像内の関心領域を指定する操作を受け付ける入力部と、
前記入力部によって前記関心領域を指定する操作が受け付けられると、前記関心領域を表す枠を当該関心領域上に表示するとともに当該関心領域上に表示されたカーソルを消去し、前記関心領域内の画像を拡大した拡大医用画像を前記枠の周りに並列させて表示する画像データ処理部と、を備える、
医用画像表示装置。
【請求項２】
前記枠は、上辺、下辺、左辺及び右辺からなる四角形であり、
前記画像データ処理部は、前記拡大医用画像を前記枠の上辺、下辺、左辺及び右辺のいずれかの辺上に並列させて表示する、
請求項１記載の医用画像表示装置。
【請求項３】
前記画像データ処理部は、前記拡大医用画像を前記医用画像の表示範囲内に表示する、
請求項１又は２記載の医用画像表示装置。
【請求項４】
前記入力部は、前記枠を前記医用画像の表示範囲内で移動させる操作を受け付け、
前記画像データ処理部は、前記入力部によって前記枠を移動させる操作が受け付けられると、前記枠を前記医用画像上で移動させ、当該枠が移動した軌跡を識別可能に表示する、
請求項１乃至３のいずれか一項に記載の医用画像表示装置。
【請求項５】
前記画像データ処理部は、前記枠が移動した軌跡を色で識別可能に表示する、
請求項４記載の医用画像表示装置。
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機において、
プログラムを記憶する記憶手段と、
該記憶手段に記憶されたプログラムに従った処理を実行するマイクロコンピュータと、を備え、
プログラムは、割込の発生に応じて実行される割込プログラムを含み、
前記マイクロコンピュータは、
割込が許可されているときに、該割込にもとづいて割込プログラムに従った処理を実行する割込処理実行手段と、
前記記憶手段における割込プログラムのアドレスを記憶可能な記憶領域を有するアドレス記憶手段と、
前記アドレス記憶手段の記憶領域で記憶しているアドレスが所定の範囲にあるか否かを前記マイクロコンピュータの起動時に判定する判定手段と、
割込プログラムのアドレスが所定の範囲にないと前記判定手段が判定したときに前記マイクロコンピュータを起動させない起動禁止手段と、
タイマ値を格納可能なタイマ値格納手段と、
割込プログラムに従った処理において前記タイマ値格納手段に格納されているタイマ値を更新可能なタイマ値更新手段と、を備え、
前記タイマ値格納手段は、計時条件が成立したときにタイマ値が格納され、
前記タイマ値更新手段は、タイマ値が格納されていることを条件にタイマ値の更新を行う、遊技機。
【手続補正２】
【補正対象書類名】明細書
【補正対象項目名】０００２
【補正方法】変更
【補正の内容】
【０００２】
遊技機として、割込ベクタ定義領域に遊技機制御プログラムの割込発生時における割込アドレスを定義する遊技機が知られている（特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００２-５２２１５号公報（段落００３３など）
【手続補正５】
【補正対象書類名】明細書
【補正対象項目名】０００５
【補正方法】変更
【補正の内容】
【０００５】
しかしながら、特許文献１に記載の遊技機は、改良の余地があった。
【手続補正６】
【補正対象書類名】明細書
【補正対象項目名】０００６
【補正方法】変更
【補正の内容】
【０００６】
本発明は、このような問題点に着目してなされたものであり、意図しない割込処理が実行されることを事前に防止することができる遊技機を提供することを目的とする。
【手続補正７】
【補正対象書類名】明細書
【補正対象項目名】０００７
【補正方法】変更
【補正の内容】
【０００７】
（１）  遊技を行うことが可能な遊技機において、
プログラムを記憶する記憶手段と、
該記憶手段に記憶されたプログラムに従った処理を実行するマイクロコンピュータと、を備え、
プログラムは、割込の発生に応じて実行される割込プログラムを含み、
前記マイクロコンピュータは、
割込が許可されているときに、該割込にもとづいて割込プログラムに従った処理を実行する割込処理実行手段と、
前記記憶手段における割込プログラムのアドレスを記憶可能な記憶領域を有するアドレス記憶手段と、
前記アドレス記憶手段の記憶領域で記憶しているアドレスが所定の範囲にあるか否かを前記マイクロコンピュータの起動時に判定する判定手段と、
割込プログラムのアドレスが所定の範囲にないと前記判定手段が判定したときに前記マイクロコンピュータを起動させない起動禁止手段と、
タイマ値を格納可能なタイマ値格納手段と、
割込プログラムに従った処理において前記タイマ値格納手段に格納されているタイマ値を更新可能なタイマ値更新手段と、を備え、
前記タイマ値格納手段は、計時条件が成立したときにタイマ値が格納され、
前記タイマ値更新手段は、タイマ値が格納されていることを条件にタイマ値の更新を行う。
遊技機は、以下のように構成されていてもよい。
手段１の遊技機は、
遊技を行う遊技機（スロットマシン１）において、
第１の制御を行うとともに、遊技機（スロットマシン１）への電力供給が停止しても制御状態を保持可能な第１の制御手段（メイン制御部４１）と、
第１の制御手段から送信された制御情報（コマンド）に基づいて第２の制御を行うとともに、遊技機（スロットマシン１）への電力供給が停止しても制御状態を保持可能な第２の制御手段（サブ制御部９１）と、
を備え、
前記第１の制御手段は、
電断条件が成立（電圧低下信号の入力）した場合に、遊技機（スロットマシン１）への電力供給が停止する前の制御状態に復帰可能とするための電断処理（電断処理（メイン））を実行する電断処理実行手段と、
制御の進行に応じて前記第２の制御手段（サブ制御部９１）に送信する制御情報（コマンド）を作成し、格納領域（コマンドキュー）に格納する制御情報格納手段（コマンド格納処理）と、
所定契機（タイマ割込処理（メイン）４回に１回）毎に前記格納領域（コマンドキュー）に格納されている制御情報（コマンド）を前記第２の制御手段（サブ制御部９１）に対して送信する第１の制御情報送信手段（通常時コマンド送信処理）と、
電断条件が成立（電圧低下信号の入力）した場合に、前記電断処理（電断処理（メイン））を実行する前に前記格納領域（コマンドキュー）に格納されている制御情報（コマンド）全てを前記第２の制御手段（サブ制御部９１）に対して送信する第２の制御情報送信手段（電断時コマンド送信処理）と、
を含み、
電断条件が成立（電圧低下信号の入力）してから前記第１の制御手段（メイン制御部４１）が動作不能となるまでの期間（リセット信号により動作不能となるまでの期間）が、前記格納領域（コマンドキュー）に格納可能な最大数の制御情報（３２のコマンド）を前記第２の制御手段（サブ制御部９１）に対して送信し、かつ前記電断処理（電断処理（メイン））が完了するのに要する期間よりも長い
ことを特徴としている。
この特徴によれば、第１の制御手段は、電断条件が成立した場合に、格納領域に格納されている制御情報全てを第２の制御手段に対して送信してから電断処理を実行するので、電断時及び電断復帰時における遊技制御手段側の制御状態と、演出制御手段側で特定される遊技制御手段側の制御状態と、を極力一致させることができる。また、電断条件が成立してから第１の制御手段が動作不能となるまでの期間が、格納領域に格納可能な最大数の制御情報を第２の制御手段に対して送信し、かつ電断処理が完了するのに要する期間よりも長いので、電断条件の成立後、制御情報を送信してから電断処理までの処理を確実に実行させることができる。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
ビデオ映像を保存するデータベースと、
ネットワークインターフェイスと、
少なくとも１つのプロセッサであって、
記録された複数のレースのビデオ映像を前記データベースに保存し、
記録された前記複数のレースのビデオ映像うち、最初に記録されたレースのビデオ映像を再生し、
最初に記録されたレースの勝者への賭けが受け取られる前に、最初に記録されたレースの選択された部分であって、勝者となりそうな者を明らかにする部分、を隠蔽し、
最初に記録されたレースにおいて勝者への賭けが受け取られる時点に少なくとも部分的に基づいて、最初に記録されたレースの複数の難易度レベルを表す情報を保存し、
前記ネットワークインターフェイスを介して、複数のリモートモバイルデバイスの最初の組から、最初に記録されたレースの勝者への賭けを表すデータを受信し、
最初に記録されたレースの実際の勝者が明らかになる前のある時点で、最初に記録されたレースの勝者に対する賭けを表すさらなるデータの受け入れを防ぐ、
ことを実行する前記少なくとも１つのプロセッサと、
を備える装置。
【請求項２】
前記少なくとも１つのプロセッサは、更に、
最初に記録されたレースの実際の勝者に賭けたリモートモバイルデバイスを特定し、
最初に記録されたレースの実際の勝者に賭けたリモートモバイルデバイスからのみ、２番目に記録されたレースの２番目の勝者への２番目の賭けを表す追加データを受け取る、
ように構成されている、
請求項１に記載の装置。
【請求項３】
最初に記録されたレースの前記選択された部分を不明瞭にするために、前記少なくとも１つのプロセッサは、最初に記録されたレースの元の音を除去する、ように構成されている、
請求項１に記載の装置。
【請求項４】
最初に記録されたレースの前記選択された部分を不明瞭にするために、前記少なくとも１つのプロセッサは、最初に記録されたレースのいくつかのビデオ部分を操作する、ように構成されている、
請求項１に記載の装置。
【請求項５】
最初に記録されたレースのいくつかのビデオ部分を操作するために、前記少なくとも１つのプロセッサは、最初に記録されたレースのいくつかのビデオ部分から情報を除去する、ように構成された、
請求項４に記載の装置。
【請求項６】
最初に記録されたレースのいくつかのビデオ部分を操作するために、前記少なくとも１つのプロセッサは、最初に記録されたレースのいくつかのビデオ部分の品質を調整する、ように構成されている、
請求項４に記載の装置。
【請求項７】
最初に記録されたレースのいくつかのビデオ部分を操作するために、前記少なくとも１つのプロセッサは、最初に記録されたレースの解像度を下げる、ように構成されている、
請求項４に記載の装置。
【請求項８】
最初に記録されたレースのいくつかのビデオ部分を操作するために、前記少なくとも１つのプロセッサは、最初に記録されたレースのフレームの数を減らす、ように構成されている、
請求項４に記載の装置。
【請求項９】
前記少なくとも１つのプロセッサは、最初に記録されたレースの勝者に対する賭けを表すデータが受信されている間、最初に記録されたレースの再生を一時停止する、ようにさらに構成されている、
請求項１に記載の装置。
【請求項１０】
前記少なくとも１つのプロセッサは、特定の期間が終了した後、最初に記録されたレースの再生を一時停止する、ようにさらに構成されている、
請求項１に記載の装置。
【請求項１１】
少なくとも１つのプロセッサにより、複数のレースのビデオ映像をデータベースに記録し、
前記少なくとも１つのプロセッサにより、記録された前記複数のレースのビデオ映像うち、最初に記録されたレースのビデオ映像を再生し、
前記少なくとも１つのプロセッサにより、最初に記録されたレースの勝者への賭けが受け取られる前に、最初に記録されたレースの選択された部分であって、勝者となりそうな者を明らかにする部分、を覆い、
前記少なくとも１つのプロセッサにより、最初に記録されたレースにおいて勝者への賭けが受け取られる時点に少なくとも部分的に基づいて、最初に記録されたレースの複数の難易度レベルを表す情報を保存し、
前記少なくとも１つのプロセッサにより、前記ネットワークインターフェイスを介して、複数のリモートモバイルデバイスの最初の組から、最初に記録されたレースの勝者への賭けを表すデータを受信し、
前記少なくとも１つのプロセッサにより、最初に記録されたレースの実際の勝者が明らかになる前のある時点で、最初に記録されたレースの勝者に対する賭けを表すさらなるデータの受け入れを防ぐ、
ことを含む方法。
【請求項１２】
前記少なくとも１つのプロセッサにより、最初に記録されたレースの実際の勝者に賭けたリモートモバイルデバイスを特定し、
前記少なくとも１つのプロセッサにより、最初に記録されたレースの実際の勝者に賭けたリモートモバイルデバイスからのみ、２番目に記録されたレースの２番目の勝者への２番目の賭けを表す追加データを受け取る、
請求項１１に記載の方法。
【請求項１３】
最初に記録されたレースの前記選択された部分を不明瞭にするために、前記少なくとも１つのプロセッサにより、最初に記録されたレースの元の音を除去する、
請求項１１に記載の方法。
【請求項１４】
最初に記録されたレースの前記選択された部分を不明瞭にするために、前記少なくとも１つのプロセッサにより、最初に記録されたレースのいくつかのビデオ部分を操作する、
請求項１１に記載の方法。
【請求項１５】
最初に記録されたレースのいくつかのビデオ部分を操作するために、前記少なくとも１つのプロセッサにより、最初に記録されたレースのいくつかのビデオ部分から情報を除去する、
請求項１４に記載の方法。
【請求項１６】
最初に記録されたレースのいくつかのビデオ部分を操作するために、前記少なくとも１つのプロセッサにより、最初に記録されたレースのいくつかのビデオ部分の品質を調整する、
請求項１４に記載の方法。
【請求項１７】
最初に記録されたレースのいくつかのビデオ部分を操作するために、前記少なくとも１つのプロセッサにより、最初に記録されたレースの解像度を下げる、
請求項１４に記載の方法。
【請求項１８】
最初に記録されたレースのいくつかのビデオ部分を操作するために、前記少なくとも１つのプロセッサにより、最初に記録されたレースのフレームの数を減らす、
請求項１４に記載の方法。
【請求項１９】
前記少なくとも１つのプロセッサにより、最初に記録されたレースの勝者に対する賭けを表すデータが受信されている間、最初に記録されたレースの再生を一時停止する、
請求項１１に記載の方法。
【請求項２０】
前記少なくとも１つのプロセッサは、特定の期間が終了した後、最初に記録されたレースの再生を一時停止する、
請求項１１に記載の方法。
【手続補正書】
【提出日】令和2年6月2日(2020.6.2)
【手続補正１】
【補正対象書類名】特許請求の範囲
【補正対象項目名】全文
【補正方法】変更
【補正の内容】
【特許請求の範囲】
【請求項１】
光を光電変換して電荷を生成する光電変換部と、前記光電変換部で生成された電荷を蓄積する蓄積部と、前記光電変換部で生成された電荷を前記蓄積部に転送する転送部とを有し、第１電圧が印加される第１半導体基板と、
前記蓄積部に電荷を転送するよう前記第１電圧以上の電圧を前記転送部に供給し、前記蓄積部に電荷を転送しないよう前記第１電圧未満の電圧を前記転送部に供給する供給部を有する第２半導体基板と、
を備える撮像素子。
【請求項２】
請求項１に記載の撮像素子において、
前記転送部は、前記第１電圧以上の電圧が供給されると、前記光電変換部と前記蓄積部とを電気的に導通させ、前記第１電圧未満の電圧が供給されると、前記光電変換部と前記蓄積部とを電気的に非導通にする撮像素子。
【請求項３】
請求項１または２に記載の撮像素子において、
前記光電変換部で生成された電荷をリセットする第１リセット部を有し、
前記供給部は、前記光電変換部で生成された電荷をリセットするよう、前記第１電圧以上の電圧を前記第１リセット部に供給する撮像素子。
【請求項４】
請求項１から３のいずれか一項に記載の撮像素子において、
前記蓄積部に蓄積された電荷をリセットする第２リセット部を有し、
前記供給部は、前記蓄積部に蓄積された電荷をリセットするよう、前記第１電圧以上の電圧を前記第２リセット部に供給する撮像素子。
【請求項５】
請求項４に記載の撮像素子において、
前記第２リセット部に供給する第２供給部を有し、前記第１電圧が印加される第３半導体基板を備える撮像素子。
【請求項６】
請求項１から５のいずれか一項に記載の撮像素子において、
前記第１半導体基板は、前記光電変換部と前記蓄積部と前記転送部とをそれぞれ有する複数の画素が設けられ、
前記供給部は、画素毎に設けられる撮像素子。
【請求項７】
請求項６に記載の撮像素子において、
複数の前記画素のうちの一部の前記転送部は、第１の期間に前記光電変換部で生成された電荷を前記蓄積部に転送し、他の一部の前記転送部は、前記第１の期間とは異なる長さの第２の期間に前記光電変換部で生成された電荷を前記蓄積部に転送する撮像素子。
【請求項８】
請求項６または７に記載の撮像素子において、
前記供給部は、第１の期間に前記光電変換部で生成された電荷を前記蓄積部に転送するよう、複数の前記画素のうちの一部の前記転送部に電圧を供給し、前記第１の期間とは異なる長さの第２の期間に前記光電変換部で生成された電荷を前記蓄積部に転送するよう、他の一部の前記転送部に電圧を供給する撮像素子。
【請求項９】
請求項１から８のいずれか一項に記載の撮像素子において、
前記第２半導体基板は、前記第１電圧と異なる第２電圧が印加される撮像素子。
【請求項１０】
請求項９に記載の撮像素子において、
前記第２半導体基板は、前記第１電圧未満の電圧が印加される撮像素子。
【請求項１１】
請求項１から１０のいずれか一項に記載の撮像素子において、
前記供給部は、前記第２半導体基板に設けられる第１電源部および第２電源部の少なくとも一方を有する撮像素子。
【請求項１２】
請求項１１に記載の撮像素子において、
前記第１電源部は、前記第１電圧以上の電圧を供給し、
前記第２電源部は、前記第１電圧未満の電圧を供給する撮像素子。
【請求項１３】
請求項１から１２のいずれか一項に記載の撮像素子において、
前記第１電圧は、接地電圧である撮像素子。
【請求項１４】
請求項１から１３のいずれか一項に記載の撮像素子において、
前記第２半導体基板は、前記蓄積部に蓄積された電荷に基づくアナログ信号をデジタル信号に変換するＡ／Ｄ変換部を有する撮像素子。
【請求項１５】
請求項１から１４のいずれか一項に記載の撮像素子を有する撮像装置。
【手続補正２】
【補正対象書類名】明細書
【補正対象項目名】発明の名称
【補正方法】変更
【補正の内容】
【発明の名称】撮像素子および撮像装置
【手続補正３】
【補正対象書類名】明細書
【補正対象項目名】０００１
【補正方法】変更
【補正の内容】
【０００１】
本発明は、撮像素子および撮像装置に関する。 
【手続補正４】
【補正対象書類名】明細書
【補正対象項目名】０００４
【補正方法】変更
【補正の内容】
【０００４】
第１の態様によると、撮像素子は、光を光電変換して電荷を生成する光電変換部と、前記光電変換部で生成された電荷を蓄積する蓄積部と、前記光電変換部で生成された電荷を前記蓄積部に転送する転送部とを有し、第１電圧が印加される第１半導体基板と、前記蓄積部に電荷を転送するよう前記第１電圧以上の電圧を前記転送部に供給し、前記蓄積部に電荷を転送しないよう前記第１電圧未満の電圧を前記転送部に供給する供給部を有する第２半導体基板と、を備える。
第２の態様によると、撮像装置は、第１の態様の撮像素子を有する。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
前後方向、前記前後方向に直交する幅方向、及び厚さ方向と、
吸収体と、
前記吸収体より肌面側に配置されており、着用者の肌に対向するトップシートと、
前記吸収体より非肌面側に配置されている非肌側シートと、
前記吸収体の前記幅方向の外側縁よりも前記幅方向の外側に設けられており、疎水性を有する外側疎水部と、を有する吸収性物品であって、
前記トップシートは、前記トップシートの両側の側端部が非肌面側に折り返された一対の第１折り返し部を有し、
前記一対の第１折り返し部は、接合部によって前記非肌側シートと接合されており、
前記一対の第１折り返し部の前記幅方向の先端は、前記接合部の外側縁よりも前記幅方向の内側に位置する、吸収性物品。
【請求項２】
前記吸収性物品の前記幅方向及び前記厚さ方向に沿った断面において、前記トップシートは、前記幅方向の最も外側の端縁である肌側側端を有し、
前記外側疎水部の少なくとも一部は、前記肌側側端よりも肌面側に設けられている請求項１に記載の吸収性物品。
【請求項３】
前記吸収性物品の前記幅方向及び前記厚さ方向に沿った断面において、前記トップシートは、前記幅方向の最も外側の端縁である肌側側端を有し、
前記外側疎水部の少なくとも一部は、前記肌側側端よりも非肌面側に設けられている請求項１又は２に記載の吸収性物品。
【請求項４】
前記外側疎水部は、前記トップシートの非肌面側に設けられている請求項１から３のいずれか１項に記載の吸収性物品。
【請求項５】
前記トップシートと前記吸収体との間に配置されている中間シートを有し、
前記外側疎水部は、前記中間シートの肌面側に設けられている請求項１から３のいずれか１項に記載の吸収性物品。
【請求項６】
前記トップシートと前記吸収体との間に配置されている中間シートを有し、
前記外側疎水部は、前記中間シートの非肌面側に設けられている請求項１から３のいずれか１項に記載の吸収性物品。
【請求項７】
前記中間シートは、前記中間シートの両側の側端部が非肌面側に折り返された一対の第２折り返し部を有し、
前記中間シートは、
前記吸収性物品の前記幅方向及び前記厚さ方向に沿った断面において、前記中間シートの前記幅方向における最も外側の端縁である中間肌側側端と、
前記吸収体の前記外側縁よりも前記幅方向の外側であって、且つ、前記厚さ方向において前記中間肌側側端より肌面側に位置する中間肌面部と、
前記吸収体の前記外側縁よりも前記幅方向の外側であって、且つ、前記厚さ方向において前記中間肌側側端より非肌面側に位置する中間非肌面部と、を有し、
前記外側疎水部は、前記中間肌面部と、前記中間非肌面部とを跨がって設けられている請求項６に記載の吸収性物品。
【請求項８】
前記中間肌面部上に設けられている前記外側疎水部と前記中間非肌面部上に設けられている前記外側疎水部とのうち一方の外側疎水部が、他方の外側疎水部よりも前記幅方向の内側に延びている請求項７に記載の吸収性物品。
【請求項９】
前記トップシートと前記吸収体との間に配置されている中間シートを有し、
前記中間シートは、前記中間シートの両側の側端部が非肌面側に折り返された一対の第２折り返し部を有し、
前記一対の第２折り返し部の前記幅方向の先端は、前記吸収体よりも前記幅方向の外側に配置されている請求項１から７のいずれか１項に記載の吸収性物品。
【請求項１０】
前側域と、後側域と、前記前側域と前記後側域との間に配置されている中央域と、を有し、
前記トップシートは、前記幅方向の最も外側の端縁である肌側側端を有し、
前記吸収体の前記幅方向の側端縁は、
前記前側域において最大の幅に位置する前側最大端縁と、
前記後側域において最大の幅に位置する後側最大端縁と、
前記中央域において最大の幅に位置する中央最大端縁と、を有し、
前記肌側側端から前記中央最大端縁までの距離は、前記肌側側端から前記前側最大端縁までの距離及び前記肌側側端から前記後側最大端縁までの距離よりも長い請求項１から９のいずれか１項に記載の吸収性物品。
【請求項１１】
前記吸収体の前記幅方向の外側縁よりも前記幅方向の内側に設けられている中央疎水部を有し、
前記中央疎水部は、前記吸収体よりも肌面側に設けられており、
前記中央疎水部は、前記吸収性物品に印刷されたインクが配置されている複数の網点により構成されており、
前記中央疎水部における前記複数の網点の単位面積当たりの密度は、前記外側疎水部における前記複数の網点の単位面積当たりの密度よりも小さい請求項１から１０のいずれか１項に記載の吸収性物品。
【請求項１２】
前記吸収体の前記幅方向の外側縁よりも前記幅方向の内側に設けられている中央疎水部を有し、
前記中央疎水部は、前記吸収体よりも肌面側に設けられており、
前記中央疎水部及び前記外側疎水部は、前記吸収性物品に印刷されたインクが配置されている複数の網点により構成されており、
前記外側疎水部における前記複数の網点の単位面積当たりの密度は、前記中央疎水部における前記複数の網点の単位面積当たりの密度よりも小さい請求項１から１０のいずれか１項に記載の吸収性物品。
【請求項１３】
前記吸収体の前記幅方向の外側縁よりも前記幅方向の内側に設けられている中央疎水部を有し、
前記中央疎水部は、前記吸収体よりも肌面側に設けられており、
前記吸収体は、液体吸収性繊維の集合体からなる吸収コアを有し、
前記幅方向における前記中央疎水部と前記外側疎水部との間には、前記トップシートと前記吸収コアとが前記厚さ方向に圧搾された圧搾部が設けられている請求項１から１２のいずれか１項に記載の吸収性物品。
【請求項１４】
前記吸収体の前記外側縁よりも前記幅方向の外側において、前記トップシートどうしが、接合されていない請求項１から１３のいずれか１項に記載の吸収性物品。
【請求項１５】
前記トップシートと前記非肌側シートとを接合する接合部を有し、
前記接合部は、前記外側疎水部と当接しない位置に配置されている請求項１から１３のいずれか１項に記載の吸収性物品。
【請求項１６】
前側域と、後側域と、前記前側域と前記後側域との間に配置されている中央域と、
前記中央域において、前記吸収体の前記幅方向の外側縁よりも前記幅方向の内側に設けられており、疎水性を有する中央疎水部と、を有し、
前記吸収体よりも肌面側に配置されており且つ前記中央疎水部が設けられているシートにおいて、前記中央疎水部と重なる部分の最大厚さは、前記中央疎水部よりも前記幅方向の外側の部分の最大厚さよりも薄い請求項１から１５のいずれか１項に記載の吸収性物品。